(57)【要約】【課題】送風性能の効率低下を最小限に抑えながら、バサツキ音を抑えることができる空気調和機の室内機を提供する。【解決手段】電圧を印加することによって反り変形を生じる高分子シート１０により構成される可動壁７ａを、側壁７のクロスフローファン４近傍から吹出し口９までの間に、反り変形時にクロスフローファン４側を支点７ｂとして吹出し口９側が浮き上がるように設けたもので、これにより、吹出し口９の幅を任意に変更することができ、風量や通風抵抗に応じて変形量を調節して抵抗を減少したり、騒音を低減したりすることが可能となる。【選択図】図１
2007107749.tif 000002
【特許請求の範囲】
【請求項１】
本体内に熱交換器と、クロスフローファンと、スタビライザと、リアガイダと、前記リアガイダと前記スタビライザとそれらの端部に位置する側壁とにより形成される吹出し側通風路とを備えた空気調和機の室内ユニットであって、電圧を印加することによって反り変形を生じる高分子シートにより構成される可動壁を、前記側壁の前記クロスフローファン近傍から吹出し口までの間に、反り変形時にクロスフローファン側を支点として吹出し口側が浮き上がるように設けたことを特徴とする空気調和機の室内ユニット。
【請求項２】
高分子シートは、電圧を印加することで反り変形を生じる性状をもつイオン伝導性高分子素子と前記イオン伝導性高分子素子を挟んだ一対の電極とで構成されていることを特徴とする請求項１に記載の空気調和機の室内ユニット。
【請求項３】
可動壁は、高分子シートを薄板状の弾性樹脂材で被包して構成されていることを特徴とする請求項１又は２に記載の空気調和機の室内ユニット。
【請求項４】
可動壁は、これを反り変形させる時のみに高分子シートに電圧が印加される構成であることを特徴とする請求項１〜３のうちいずれか一項に記載の空気調和機の室内ユニット。
【請求項５】
可動壁が、吹出し側通風路の左右両方の壁部に設けられると共に、前記可動壁に対する電圧印加を左右個別に設定可能な構成としたことを特徴とする請求項１〜４のうちいずれか一項に記載の空気調和機の室内ユニット。
【請求項６】
吹出し側通風路の通風抵抗検出手段を有し、風量弱制御運転時の通風抵抗が所定値より大きいことを検出した時に可動壁に電圧を印加する構成としたことを特徴とする請求項１〜５のうちいずれか一項に記載の空気調和機の室内ユニット。
【発明の詳細な説明】
【技術分野】
【０００１】
本発明は空気調和機に関し、特に室内ユニットに関するものである。
【背景技術】
【０００２】
従来技術においては、クロスフローファンによって送風された吹出流の流れを円滑にして、高静圧に対応できるようにした技術が開示されている（例えば、特許文献１参照）。
【０００３】
図５は従来の空気調和機の外観斜視図である。図６（ａ）は、図５のＡＡ線における断面図である。図６（ｂ）は、吹き出し部付近の図６（ａ）のＣ方向から見た要部矢視図である。図６（ｃ）は、図６（ａ）のＩＩ−ＩＩ線における断面図である。
【０００４】
クロスフローファン３１の下流域の側壁３２には、通風路３３の全幅に亘り突起３４が形成されている。突起３４は、図６（ｃ）に示したように、側壁３２の内側面に対して１段目の段差３４ａと、２段目の段差３４ｂとを有している。３５ａ、３５ｂはそれぞれ、段差３４ａ、３４ｂのクロスフローファン１の回転軸方向の長さを示している。突起３４は、このような２段階段差を有しているので、クロスフローファン３１の回転軸方向における通風路３３の幅が、２段階に狭められていることになる。このことにより、クロスフローファン３１によって送風された空気流の回転軸方向の変動成分が軽減されるので、吹出流の流れを円滑にすることができ、高静圧化が可能になる。
【特許文献１】特開２０００−２９１９７３号公報
【発明の開示】
【発明が解決しようとする課題】
【０００５】
しかしながら、前記従来の構成では、送風機の側壁部分の高静圧化により、小風量時流れの軸方向乱れとそれによる通風抵抗増加を抑制し、空気の流れを整流させて「バサバサ」という断続的な異音（以下「バサツキ音」という。）を抑え、空気の流れを円滑にすることができるができるが、一方で、大風量時吹き出し口の通風抵抗が大きくなるという課題を有していた。
【０００６】
本発明は、前記従来の課題を解決するもので、リアガイダと本体の一体成形の室内機において、送風性能の効率低下を最小限に抑えながら、吹出し口の静圧を調節してバサツキ音を抑えることができる空気調和機の室内機を提供することを目的とする。
【課題を解決するための手段】
【０００７】
前記従来の課題を解決するために、本発明の空気調和機の室内ユニットは、本体内に熱交換器と、クロスフローファンと、スタビライザと、リアガイダと、前記リアガイダと前記スタビライザとそれらの端部に位置する側壁とにより形成される吹出し側通風路とを備えた空気調和機の室内機であって、電圧を印加することによって反り変形を生じる高分子シートにより構成される可動壁を、前記側壁の前記クロスフローファン近傍から吹出し口までの間に、反り変形時にクロスフローファン側を支点として吹出し口側が浮き上がるように設けたものである。これにより、吹出し口の幅を任意に変更することができ、風量や通風抵抗に応じて吹出し口の幅を変更して吹出し口の静圧を調節したり、騒音を低減したりすることが可能となる。
【０００８】
また、本発明の空気調和機の室内ユニットは、高分子シートが電圧を印加することで反り変形を生じる性状をもつイオン伝導性高分子素子で構成されていることを特徴としたものである。これによって、前記効果に加えて、高分子シートに電圧を印加することで反り
変形をする性状をもつイオン伝導性高分子素子で構成しているので、制御性が各段に向上する。
【０００９】
また、本発明の空気調和機の室内ユニットは、可動壁が高分子シートを薄板状の弾性樹脂材で被包して構成されているものである。弾性樹脂材によって、高分子シート及びその電極の外部への露出が阻止され、美観性が良好となり商品価値が向上すると共に、高分子シートおよび電極の損傷の発生が防止されることで耐久性の向上が可能となる。
【００１０】
また、本発明の空気調和機の室内ユニットは、可動壁を反り変形させる時、又は変形を戻す時のみに高分子シートに電圧が印加される構成である。これによって、形状記憶合金の様に形状変形時のみならず変形後の保持期間においても常時電圧印加を必要とするような場合に比して、消費電力が少なくてすみ、省エネ性に優れた運転が可能である。
【００１１】
また、本発明の空気調和機の室内ユニットは、高分子シートが、通風路の左右両方の壁部に設けられると共に、可動壁の高分子シートのそれぞれに対する電圧印加を個別に設定可能な構成としたものである。これによって、各高分子シートのそれぞれに対する電圧の印加形態を個別に設定して反り変形の形態を種種変更させることで多様化を図ることが可能である。
【００１２】
また、本発明の空気調和機の室内ユニットは、吹出し側通風路の通風抵抗検出手段を有し、風量弱制御運転時の通風抵抗が所定値より大きいことを検出した時に高分子シートに電圧印加するもので、小風量運転時の通風抵抗大を検出した時のみ吹出し口に突出する様に電圧印加されて吹出し口の幅を狭くし、大風量時もしくは小風量時でも通風抵抗が小さい時は吹出し口の幅は通常のままで大きな通風抵抗とならず、風量弱制御運転時に流れの軸方向乱れとそれによる通風抵抗増加を抑制し、騒音を低減することが可能となる。
【発明の効果】
【００１３】
上記のように、本発明の空気調和機の室内ユニットは、吹出し口の通風抵抗を制御することにより送風効率を向上させ、騒音を低減することができる。
【発明を実施するための最良の形態】
【００１４】
以下、本発明の各実施の形態を図１〜図４に基づいて説明する。
【００１５】
（実施の形態１）
図１は本発明の実施の形態１における空気調和機の室内ユニットの断面図、図２は室内ユニット内部の要部斜視図である。図１、図２において、本体１の内部には２つの熱交換器２を配設して前面１ａから上面１ｂにかけて吸い込みグリル３を有し、熱交換器２の下部にクロスフローファン４を配設して、リアガイダ５とスタビライザ６とそれらの端部に位置する側壁７とにより吹出し側通風路８と吹出し口９を形成し、吹出し口９には風向偏向板９ａが設けられている。そして、吹出し口９の両端の側壁７には、クロスフローファン４の近傍から吹出し口９にかけて、可動壁７ａがクロスフローファン４側を支点７ｂとして設けられている。
【００１６】
ここで、可動壁７ａについて詳細に説明する。図３は可動壁の断面図、図４はイオン伝導性高分子素子による高分子シートの動作を説明する断面図である。図３において、可動壁７ａは、電圧の印加によって反り変形を発生する高分子シート１０を複数枚積層し、且つ、これを弾性樹脂材１８で被包することによって構成されている。この高分子シート１０は図４（ｂ）に示すように、水分を含むイオン伝導性高分子素子１１の両面にそれぞれ電極１２、１３を配置して構成された板状部材であって、電極１２と電極１３とを、極性切り替えスイッチ１４を介して直流電源１５に接続し、極性切り替えスイッチ１４の切り
替え操作によって、電極１２と電極１３の極性を適宣変更することで図４（ａ），（ｃ）に示すように反対方向に反り変形を生じるものである。
【００１７】
具体的には、図４（ａ）に示す様に、電極１２を「陽極」に、電極１３を「陰極」に設定すると、イオン伝導性高分子素子１１内の「陽イオン１６」が水を伴って「陰極」側へ移動し、含水量が「陰極」側に偏在し、「陰極」側と「陽極」側との間に膨潤差が生じて高分子シート１０が「陰極」側、即ち、電極１３側へ凸状に反り変形するものである。逆に図４（ｃ）に示すように電極１２を「陰極」に、上記電極１３を「陽極」に設定すると、「陰極」である電極１２側へ凸状に反り変形するものである。この様に電圧印加の極性を変更することで高分子シート１０を反り変形させることができるものである。
【００１８】
なお、イオン伝導性高分子素子１１には、電圧印加によって反り変形させた後、電圧印加をなくしても、電圧印加停止前の反り変形状態をそのまま維持するという性状をもち、したがって、このイオン伝導性高分子素子１１はこれを反り変形させる時にのみ電圧印加を行えば良いものである。元通りに戻すには両電極１２，１３を短絡すれば良い。
【００１９】
そして、図３のように可動壁７ａが複数の高分子シート１０で構成されている場合には、それぞれの電極を並列に同一極性となるように設定して電圧を印加できるように接続し、吹出し口９の左右に設けた可動壁７ａについてはそれぞれ反対の極性に電圧を印加できるように接続することで、両方の可動壁７ａは左右同時に吹出し口９を狭めるように反り変形を生じ、また電圧印加を停止してもそのまま反り変形状態を維持することになる。
【００２０】
本発明の実施の形態１においては、吹出し側通風路８に通風抵抗検出手段１９を設けている。そして、室内ユニットの風量が弱運転制御されている時に軸方向乱れが発生して、通風抵抗が増加してバサツキ音が発生するような状態を通風抵抗の所定値として設定し、通風抵抗検出手段１９が風量弱制御運転時の通風抵抗が所定値より大きいことを検出した時に可動壁７ａに電圧を印加して、可動壁７ａが反り変形を生じる構成としている。
【００２１】
上記の構成とすることで、小風量時流れの軸方向乱れを抑制し、空気の流れを整流させてバサツキ音を抑え、空気の流れを円滑にすることができ、また、大風量時には可動壁を変形させないことにより吹き出し口の通風抵抗が大きくなるということなく気流の乱れによる吹出し騒音が大きくなること及び、所定の風量を確保するためにファン入力が増大することなく空気吹出し空気流が可能となる。
【００２２】
なお、吹出し口９の左右端の可動壁７ａそれぞれに個別に電圧印加できるように構成してもよい。これにより、左右で別々に可動壁７ａの変形が設定でき、よりきめ細かな通風抵抗調整が可能となる。
【産業上の利用可能性】
【００２３】
以上のように、本発明にかかる送風機は、騒音の低減と送風効率の向上とが可能となるので、送風機の吹出し口の通風抵抗調整として有用である。
【図面の簡単な説明】
【００２４】
【図１】本発明の実施の形態１における空気調和機の室内ユニットの断面図
【図２】同室内ユニット内部の要部拡大図
【図３】同室内ユニットの可動壁の断面図
【図４】同イオン伝導性高分子素子による高分子シートの動作を説明する断面図
【図５】従来の空気調和機の外観斜視図
【図６】（ａ）図５のＡＡ線における断面図、（ｂ）吹き出し部付近の図６（ａ）のＣ方向から見た要部矢視図、（ｃ）図６（ａ）のＩＩ−ＩＩ線における断面図
【符号の説明】
【００２５】
１  本体
２  熱交換器
４  クロスフローファン
５  リアガイダ
６  スタビライザ
７  側壁
７ａ  可動壁
８  吹出し側通風路
９  吹出し口
９ａ  風向偏向板
１０  高分子シート
１１  イオン伝導性高分子素子
１２  電極
１３  電極
１８  弾性樹脂材
１９  通風抵抗検出手段
【図１】
2007107749.tif 000003
【図２】
2007107749.tif 000004
【図３】
2007107749.tif 000005
【図４】
2007107749.tif 000006
【図５】
2007107749.tif 000007
【図６】
2007107749.tif 000008